(57)【要約】【課題】花飾り付き街路灯において、灯具へ電力を供給するための電気配線の電気的絶縁性を高める。【解決手段】花飾り付き街路灯１は、筒状の支柱体４と、照明用の灯具が取付けられる灯具取付部と、花飾り（美観用の植物）が附設される花飾り部とを備える。また、花飾り付き街路灯１は、支柱体４内に、仕切板７と、チューブ用空配管８と、発泡樹脂９とを備える。発泡樹脂９は、チューブ用空配管８の周囲間隙に充填されている。花飾り部へ水を供給するための潅水用チューブ３０は、チューブ用空配管８に通される。また、灯具取付部へ電力を供給するための灯具用電気配線２１〜２６は、仕切板７と支柱体４により構成される空間（電気配線用空配管）内に通される。灯具用電気配線２１〜２６は、仕切板７、チューブ用空配管８、及び発泡樹脂９により、潅水用チューブ３０から隔離される。【選択図】図２
2006338962.tif 000002
【特許請求の範囲】
【請求項１】
筒状の支柱体と、照明用の灯具が取付けられる前記支柱体に設けられた灯具取付部と、美観用の植物が附設される前記支柱体に設けられた花飾り部とを備え、前記灯具取付部へ電力を供給するための灯具用電気配線及び前記花飾り部へ水を供給するための潅水用チューブが前記支柱体内に配設される花飾り付き街路灯において、
前記支柱体内に設けられた、前記灯具用電気配線を通すための電気配線用空配管と、
前記支柱体内に設けられた、前記潅水用チューブを通すためのチューブ用空配管と、
前記電気配線用空配管及び前記チューブ用空配管の周囲間隙に充填された発泡樹脂とを備えることを特徴とする花飾り付き街路灯。
【請求項２】
前記電気配線用空配管は、前記支柱体と該支柱体内に設けられた仕切板とにより構成されていることを特徴とする請求項１に記載の花飾り付き街路灯。
【請求項３】
前記チューブ用空配管は、前記支柱体と該支柱体内に設けられた仕切板とにより構成されていることを特徴とする請求項１に記載の花飾り付き街路灯。
【発明の詳細な説明】
【技術分野】
【０００１】
本発明は、美観用の植物が附設される花飾り付き街路灯に関するものである。
【背景技術】
【０００２】
従来より、街路や公園に設置されて周囲を照明する街路灯において、美観向上のために、花飾り（美観用の植物）を附設するようにしたものが知られている（例えば特許文献１乃至３参照）。このような花飾りを附設するようにした街路灯は、一般的に、地面に立設される筒状の支柱体を有しており、照明用の灯具が支柱体の頂部付近に取付けられると共に、花飾りが支柱体の所定の高さ位置に附設され、また、灯具へ電力を供給するための電気配線、及び花飾りへ水を供給するための潅水用チューブが支柱体の内部に配設されるようになっている。
【０００３】
一方、断熱パネル内の電気配線等挿通用パイプの周囲の空間部に断熱材を充填、発泡成形させた断熱パネルの構造が知られている（例えば特許文献４参照）。また、２重構造のパイプの間にウレタンフォームを注入した凍結防止用パイプの構造が知られている（例えば特許文献５参照）。
【特許文献１】特開２００１−２０４２５５号公報
【特許文献２】特開２００２−１００２０８号公報
【特許文献３】特開２００２−２７２２７３号公報
【特許文献４】特開平７−２３３５８９号公報
【特許文献５】特開平１１−２０１３８１号公報
【発明の開示】
【発明が解決しようとする課題】
【０００４】
ところが、上述した従来の街路灯においては、灯具へ電力を供給するための電気配線と花飾りへ水を供給するための潅水用チューブが支柱体内で隔離されておらず、電気配線と潅水用チューブが支柱体内で混在している。このため、潅水用チューブが疲労や腐食、凍結等により破損して潅水用チューブから水が漏れると、潅水用チューブから漏れた水が電気配線に流れ込んでしまい、電気配線の電気的絶縁性が確保できなくなる虞がある。なお、上述した特許文献４及び５に記載の構造は、電気配線及び潅水用チューブを支柱体の内部に配設する構造ではなく、従って、これら特許文献４及び５に開示の内容を適用したとしても、上記の課題を解決することはできない。
【０００５】
本発明は、上記課題を解決するためになされたものであり、灯具へ電力を供給するための電気配線の電気的絶縁性を高めることができる花飾り付き街路灯を提供することを目的とする。
【課題を解決するための手段】
【０００６】
上記目的を達成するために請求項１の発明は、筒状の支柱体と、照明用の灯具が取付けられる支柱体に設けられた灯具取付部と、美観用の植物が附設される支柱体に設けられた花飾り部とを備え、灯具取付部へ電力を供給するための灯具用電気配線及び花飾り部へ水を供給するための潅水用チューブが支柱体内に配設される花飾り付き街路灯において、灯具用電気配線を通すための支柱体内に設けられた電気配線用空配管と、潅水用チューブを通すための支柱体内に設けられたチューブ用空配管と、電気配線用空配管及びチューブ用空配管の周囲間隙に充填された発泡樹脂とを備えるものである。
【０００７】
請求項２の発明は、請求項１に記載の花飾り付き街路灯において、電気配線用空配管は、支柱体と該支柱体内に設けられた仕切板とにより構成されているものである。
【０００８】
請求項３の発明は、請求項１に記載の花飾り付き街路灯において、チューブ用空配管は、支柱体と該支柱体内に設けられた仕切板とにより構成されているものである。
【発明の効果】
【０００９】
請求項１の発明によれば、灯具用電気配線が電気配線用空配管、チューブ用空配管、及び発泡樹脂により潅水用チューブから隔離される。従って、潅水用チューブが破損して潅水用チューブから漏水した場合でも、灯具用電気配線に水が流れ込むことがなく、灯具用電気配線の電気的絶縁性を保つことができる。しかも、発泡樹脂により断熱効果がもたらされるため、潅水用チューブへの外気温の影響を緩和でき、潅水用チューブの凍結による破損を防止できる。また、発泡樹脂の断熱効果により電気配線用空配管及びチューブ用空配管の管内側の結露を防止でき、電気配線用空配管及びチューブ用空配管の腐食による破損を防止できる。さらに、発泡樹脂により電気配線用空配管及びチューブ用空配管が固定されるため、電気配線用空配管及びチューブ用空配管への振動、衝撃、揺れ等の影響を緩和でき、電気配線用空配管及びチューブ用空配管の疲労による破損を防止できる。
【００１０】
請求項２の発明によれば、仕切板を用い、支柱体の一部を利用して電気配線用空配管を構成することにより、街路灯全体の低コスト化を図ることができる。
【００１１】
請求項３の発明によれば、仕切板を用い、支柱体の一部を利用してチューブ用空配管を構成することにより、街路灯全体の低コスト化を図ることができる。
【発明を実施するための最良の形態】
【００１２】
以下、本発明を具体化した実施形態による花飾り付き街路灯について図面を参照して説明する。図１は、花飾り付き街路灯の構成を示す。花飾り付き街路灯１は、例えば街路や公園に設置されて灯具２により周囲を照明するものであり、美観向上のために花飾り（美観用の植物）３が附設されるようになっている。
【００１３】
この花飾り付き街路灯１は、地面Ｇに立設される支柱体４と、灯具２が取付けられる２つの灯具取付部５ａ、５ｂと、花飾り３が附設される吊り下げ型の２つの花飾り部６ａ、６ｂとを備えている。支柱体４は、略円筒状であり、中空の鋼等の金属管から成る。灯具取付部５ａ、５ｂは、支柱体４の頂部付近に設けられており、灯具２は、灯具取付部５ａ、５ｂの各々に取付けられる。すなわち、花飾り付き街路灯１は、２つの灯具２が取付けられる２灯型の街路灯である。花飾り部６ａ、６ｂは、支柱体４の高さ方向の中間位置付近に設けられている。
【００１４】
図２（ａ）（ｂ）（ｃ）は、支柱体４の内部構造を示す。支柱体４の内部には、灯具２へ電力を供給するための灯具用電気配線２１〜２６と、灯具２への電力供給を制御するための安定器などの電気器具２７及びスイッチ２８が配設される。また、支柱体４の内部には、花飾り３へ水を供給するための潅水用チューブ３０が配設される。
【００１５】
花飾り付き街路灯１は、上述の構成に加え、灯具用電気配線２１〜２６を潅水用チューブ３０から隔離する隔離部材として、支柱体４の内部に、仕切板７と、チューブ用空配管８と、発泡樹脂９とを備えている。
【００１６】
支柱体４には、潅水用チューブ３０を支柱体４の内部に通すための給水用開口４ａ、４ｂと、潅水用チューブ３０から不測の事態により水が漏れた場合に、その水を排水するための排水口４ｃが形成されている。また、支柱体４には、スイッチ２８を支柱体４の外部から操作するためのスイッチ操作用開口４ｄが形成されており、スイッチ操作用開口４ｄを塞ぐための開閉自在な蓋４ｅが取付けられている。
【００１７】
仕切板７は、支柱体４内の中程に配置されており、支柱体４の内部を２分している。この仕切板７は、例えば鋼板から成っており、支柱体４に溶接等されて支柱体４内に固定されている。チューブ用空配管８は、仕切板７により２分された一方の側に配設されており、支柱体４に設けられた給水用開口４ａ、４ｂ、及び排水口４ｃに接続されている。このチューブ用空配管８は、例えば鋼管から成っており、仕切板７に溶接等されて支柱体４内に固定されている。
【００１８】
発泡樹脂９は、例えば発泡ウレタンから成っており、仕切板７により２分された一方の側（チューブ用空配管８が配設されている側）において、チューブ用空配管８の周囲間隙に充填されている。この発泡樹脂９は、チューブ用空配管８及び仕切板７を支柱体４内に挿入して固定した後、発泡樹脂原料を支柱体４の複数個所に設けられた樹脂原料注入穴（不図示）からチューブ用空配管８の周囲空間に注入し、発泡樹脂原料を発泡させることにより、チューブ用空配管８の周囲間隙に充填される。
【００１９】
潅水用チューブ３０は、チューブ用空配管８内に通すことにより、支柱体４内に配設される。潅水用チューブ３０の一方側は、支柱体４の給水用開口４ａを通り、ジョイントボックス５０（図１参照）を介して水道に導かれ、他方側は、支柱体４の給水用開口４ｂを通して花飾り部６ａ、６ｂに導かれる。チューブ用空配管８は、例えば直径が略３０ｍｍ程度となっており、直径が略７〜１０ｍｍ程度の潅水用チューブ３０を通すことが可能になっている。
【００２０】
灯具用電気配線２１〜２６は、仕切板７により２分された他方の側（チューブ用空配管８が配設されていない側）の空間内に通すことにより、支柱体４内に配設される。すなわち、仕切板７と支柱体４の一部により、灯具用電気配線２１〜２６を通すための電気配線用空配管が構成されている。灯具用電気配線２１〜２３は、灯具取付部５ａと電気器具２７とを電気的に接続するように配線され、灯具用電気配線２４〜２６は、灯具取付部５ｂと電気器具２７とを電気的に接続するように配線される。
【００２１】
スイッチ２８は、支柱体４に設けられたスイッチ操作用開口４ｄに臨む位置に配設される。スイッチ操作用開口４ｄは、スイッチ２８を操作しないときには、蓋４ｅを閉じることにより塞がれる。
【００２２】
このような構成の花飾り付き街路灯１によれば、灯具用電気配線２１〜２６が仕切板７、チューブ用空配管８、及び発泡樹脂９により潅水用チューブ３０から隔離される。従って、潅水用チューブ３０が破損して潅水用チューブ３０から漏水した場合でも、灯具用電気配線２１〜２６に水が流れ込むことがなく、灯具用電気配線２１〜２６の電気的絶縁性を保つことができる。
【００２３】
しかも、発泡樹脂９により断熱効果がもたらされるため、潅水用チューブ３０への外気温の影響を緩和でき、潅水用チューブ３０の凍結による破損を防止できる。また、発泡樹脂９の断熱効果により仕切板７及びチューブ用空配管８の管内側の結露を防止でき、仕切板７及びチューブ用空配管８の錆や腐食による損傷を防止できる。さらに、発泡樹脂９により仕切板７及びチューブ用空配管８が固定されるため、仕切板７及びチューブ用空配管８への振動、衝撃、揺れ等の影響を緩和でき、仕切板７及びチューブ用空配管８の疲労による損傷を防止できる。
【００２４】
図３は、花飾り付き街路灯１の別の構成例を示す。この花飾り付き街路灯１は、灯具用電気配線２１〜２６を潅水用チューブ３０から隔離する隔離部材として、上記図２（ａ）（ｂ）（ｃ）の構成における仕切板７に代えて、２つの電気配線用空配管７１、７２を備えている。
【００２５】
電気配線用空配管７１、７２は、例えば鋼管から成っている。潅水用チューブ３０は、上記図２（ａ）（ｂ）（ｃ）の構成と同様である。発泡樹脂９は、チューブ用空配管８、及び電気配線用空配管７１、７２の周囲間隙に充填されている。
【００２６】
灯具用電気配線２１〜２３は、電気配線用空配管７１内に通すことにより、支柱体４内に配設され、灯具用電気配線２４〜２６は、電気配線用空配管７２内に通すことにより、支柱体４内に配設される。潅水用チューブ３０は、上記図２（ａ）（ｂ）（ｃ）の構成と同様に、チューブ用空配管８内に通すことにより、支柱体４内に配設される。花飾り付き街路灯１の他の構成については、上記図１及び図２（ａ）（ｂ）（ｃ）の構成と同様である。
【００２７】
このような構成の花飾り付き街路灯１によれば、灯具用電気配線２１〜２３が電気配線用空配管７１、チューブ用空配管８、及び発泡樹脂９により潅水用チューブ３０から隔離され、灯具用電気配線２４〜２６が電気配線用空配管７２、チューブ用空配管８、及び発泡樹脂９により潅水用チューブ３０から隔離される。従って、上記図１及び図２（ａ）（ｂ）（ｃ）の構成と同様に、潅水用チューブ３０が破損して潅水用チューブ３０から漏水した場合でも、灯具用電気配線２１〜２６に水が流れ込むことがなく、灯具用電気配線２１〜２６の電気的絶縁性を保つことができる。また、上記図１及び図２（ａ）（ｂ）（ｃ）の構成と同様に、発泡樹脂９の断熱効果により潅水用チューブ３０の凍結による破損を防止できる。
【００２８】
また、発泡樹脂９の断熱効果により電気配線用空配管７１、７２、及びチューブ用空配管８の管内側の結露を防止でき、電気配線用空配管７１、７２、及びチューブ用空配管８の錆や腐食による損傷を防止できる。さらに、発泡樹脂９により電気配線用空配管７１、７２、及びチューブ用空配管８が固定されるため、電気配線用空配管７１、７２、及びチューブ用空配管８への振動、衝撃、揺れ等の影響を緩和でき、電気配線用空配管７１、７２、及びチューブ用空配管８の疲労による損傷を防止できる。
【００２９】
図４は、花飾り付き街路灯１のさらに別の構成例を示す。この花飾り付き街路灯１は、灯具用電気配線２１〜２６を潅水用チューブ３０から隔離する隔離部材として、上記図３の構成における２つの電気配線用空配管７１、７２に代えて、１つの電気配線用空配管７３を備えている。
【００３０】
電気配線用空配管７３は、例えば鋼管から成っている。潅水用チューブ３０は、上記図３の構成と同様である。発泡樹脂９は、チューブ用空配管８、及び電気配線用空配管７３の周囲間隙に充填されている。
【００３１】
灯具用電気配線２１〜２６は、電気配線用空配管７３内に通すことにより、支柱体４内に配設される。潅水用チューブ３０は、上記図３の構成と同様に、チューブ用空配管８内に通すことにより、支柱体４内に配設される。花飾り付き街路灯１の他の構成については、上記図３の構成と同様である。
【００３２】
このような構成の花飾り付き街路灯１によれば、灯具用電気配線２１〜２６が電気配線用空配管７３、チューブ用空配管８、及び発泡樹脂９により潅水用チューブ３０から隔離される。従って、上記図３の構成と同様に、潅水用チューブ３０が破損して潅水用チューブ３０から漏水した場合でも、灯具用電気配線２１〜２６に水が流れ込むことがなく、灯具用電気配線２１〜２６の電気的絶縁性を保つことができる。また、上記図３の構成と同様に、発泡樹脂９の断熱効果により潅水用チューブ３０の凍結による破損を防止できる。
【００３３】
また、発泡樹脂９の断熱効果により電気配線用空配管７３、及びチューブ用空配管８の管内側の結露を防止でき、電気配線用空配管７３、及びチューブ用空配管８の錆や腐食による損傷を防止できる。さらに、発泡樹脂９により電気配線用空配管７３、及びチューブ用空配管８が固定されるため、電気配線用空配管７３、及びチューブ用空配管８への振動、衝撃、揺れ等の影響を緩和でき、電気配線用空配管７３、及びチューブ用空配管８の疲労による損傷を防止できる。
【００３４】
図５は、花飾り付き街路灯１のさらに別の構成例を示す。この花飾り付き街路灯１は、灯具用電気配線２１〜２６を潅水用チューブ３０から隔離する隔離部材として、上記図４の構成におけるチューブ用空配管８に代えて、仕切板８１を備えている。
【００３５】
仕切板８１は、上記図２（ａ）（ｂ）（ｃ）の構成における仕切板７と同様の構成である。電気配線用空配管７３は、上記図４の構成と同様であり、仕切板８１により２分された一方の側に配設されている。発泡樹脂９は、仕切板８１により２分された一方の側（電気配線用空配管７３が配設されている側）において、電気配線用空配管７３の周囲間隙に充填されている。
【００３６】
灯具用電気配線２１〜２６は、上記図４の構成と同様に、電気配線用空配管７３内に通すことにより、支柱体４内に配設される。潅水用チューブ３０は、仕切板８１により２分された他方の側（電気配線用空配管７３が配設されていない側）の空間内に通すことにより、支柱体４内に配設される。すなわち、仕切板８１と支柱体４の一部により、潅水用チューブ３０を通すためのチューブ用空配管が構成されている。花飾り付き街路灯１の他の構成については、上記図４の構成と同様である。
【００３７】
このような構成の花飾り付き街路灯１によれば、灯具用電気配線２１〜２６が電気配線用空配管７３、仕切板８１、及び発泡樹脂９により潅水用チューブ３０から隔離される。従って、上記図４の構成と同様に、潅水用チューブ３０が破損して潅水用チューブ３０から漏水した場合でも、灯具用電気配線２１〜２６に水が流れ込むことがなく、灯具用電気配線２１〜２６の電気的絶縁性を保つことができる。また、上記図４の構成と同様に、発泡樹脂９の断熱効果により潅水用チューブ３０の凍結による破損を防止できる。
【００３８】
また、発泡樹脂９の断熱効果により電気配線用空配管７３の管内側、及び仕切板８１の結露を防止でき、電気配線用空配管７３、及び仕切板８１の錆や腐食による損傷を防止できる。さらに、発泡樹脂９により電気配線用空配管７３、及び仕切板８１が固定されるため、電気配線用空配管７３、及び仕切板８１への振動、衝撃、揺れ等の影響を緩和でき、電気配線用空配管７３、及び仕切板８１の疲労による損傷を防止できる。
【００３９】
図６は、花飾り付き街路灯１のさらに別の構成例を示す。この花飾り付き街路灯１は、上記図１の構成における２つの灯具取付部５ａ、５ｂに代えて、１つの灯具取付部５ｃを備えている。すなわち、この花飾り付き街路灯１は、１つの灯具２が取付けられる１灯型の街路灯である。また、花飾り付き街路灯１は、上記図１の構成における２つの花飾り部６ａ、６ｂに代えて、１つの花飾り部６ｃを備えている。花飾り付き街路灯１の他の構成については、上記図１及び図２（ａ）（ｂ）（ｃ）の構成と同様である。花飾り付き街路灯１は、このような構成であってもよい。
【００４０】
なお、本発明は、上記実施形態の構成に限られず、種々の変形が可能である。例えば、仕切板７、８１は、鋼板に限られず、鋼以外の材質の板状部材であってもよく、チューブ用空配管８及び電気配線用空配管７１、７２、７３は、鋼管に限られず、塩化ビニル管であってもよく、また鋼や塩化ビニル以外の材質の管状部材であってもよい。発泡樹脂９は、発泡ウレタンに限られず、他の材質であってもよい。
【００４１】
また、本発明は、２つの灯具２が取付けられる２灯型の花飾り付き街路灯や、１つの灯具２が取付けられる１灯型の花飾り付き街路灯に限られず、３つ以上の灯具が取付けられる多灯型の花飾り付き街路灯にも適用可能である。また、花飾り３が３箇所以上に附設される花飾り付き街路灯にも適用可能である。
【図面の簡単な説明】
【００４２】
【図１】本発明の一実施形態に係る花飾り付き街路灯の構成を示す側面図。
【図２】（ａ）は同花飾り付き街路灯の支柱体の内部構造を示す部分拡大した側断面図、（ｂ）は（ａ）のＡ−Ａ線断面図、（ｃ）は（ａ）のＢ−Ｂ線断面図。
【図３】同花飾り付き街路灯の別の構成を示す図２（ａ）のＡ−Ａ線断面に相当する断面図。
【図４】同花飾り付き街路灯のさらに別の構成を示す図２（ａ）のＡ−Ａ線断面に相当する断面図。
【図５】同花飾り付き街路灯のさらに別の構成を示す図２（ａ）のＡ−Ａ線断面に相当する断面図。
【図６】同花飾り付き街路灯のさらに別の構成を示す側面図。
【符号の説明】
【００４３】
１    花飾り付き街路灯
２    灯具
３    花飾り
４    支柱体
４ａ、４ｂ    給水用開口
４ｃ    排水口
４ｄ    スイッチ操作用開口
４ｅ    蓋
５ａ、５ｂ、５ｃ    灯具取付部
６ａ、６ｂ、６ｃ    花飾り部
７    仕切板
８    チューブ用空配管
９    発泡樹脂
２１〜２６    灯具用電気配線
２７    電気器具
２８    スイッチ
３０    潅水用チューブ
５０    ジョイントボックス
７１、７２、７３    電気配線用空配管
８１    仕切板
【図１】
2006338962.tif 000003
【図２】
2006338962.tif 000004
【図３】
2006338962.tif 000005
【図４】
2006338962.tif 000006
【図５】
2006338962.tif 000007
【図６】
2006338962.tif 000008